(57)【要約】【課題】運転時の騒音を低減した電気掃除機を提供する。【解決手段】吸引風を発する電動送風機２と、吸引した塵埃を捕集する集塵部４と、前記電動送風機２と前記集塵部４の間に配置され、前記集塵部４から前記電動送風機２へ向かって空気が流れる空気通路３２を形成する連通部３３とを備え、前記連通部３３の壁面に複数の開口部３５を形成し、前記連通部３３の外側に前記開口部３５と連通する空間部３６を備え、前記開口部３５を形成した壁面と共に前記空間部３６を形成する空間形成部３７を設けたもので、前記電動送風機２の吸入口２ａから発生した風切り音は、連通部３３に形成した複数の開口部３５を通過し空間部３６の空気が共鳴することにより、ヘルムホルツ共鳴器と同一の効果が得られ、高周波音となる前記風切り音を減衰させることができる。【選択図】図４
2012055499.tif 000002
【特許請求の範囲】
【請求項１】
吸引風を発する電動送風機と、吸引した塵埃を捕集する集塵部と、前記電動送風機と前記集塵部の間に配置され、前記集塵部から前記電動送風機へ向かって空気が流れる空気通路を形成する連通部とを備え、前記連通部の壁面に複数の開口部を形成し、前記連通部の外側に前記開口部と連通する空間部を備え、前記開口部を形成した壁面と共に前記空間部を形成する空間形成部を設けた電気掃除機。
【請求項２】
連通部に設けた複数の開口部を、電動送風機の吸入口に対向する壁面に形成した請求項１に記載の電気掃除機。
【請求項３】
連通部に設けた複数の開口部を、前記連通部と集塵部を連通する連通口の近傍に形成した請求項１又は２に記載の電気掃除機。
【請求項４】
連通部に設けた複数の開口部を、連通部の上方を形成する壁面に形成した請求項１〜３のいずれか１項に記載の電気掃除機。
【請求項５】
複数の開口部を有する範囲の端部近傍から連通部外側に延出する空間形成リブを前記連通部に形成し、掃除機本体の外郭の一部を形成する上ケースの一部に形成された空間形成面と前記空間形成リブとの間に吸引風の空気漏れを防止するシール部材を設けた請求項１〜４のいずれか１項に記載の電気掃除機。
【発明の詳細な説明】
【技術分野】
【０００１】
本発明は、騒音を低減できる電気掃除機に関するものである。
【背景技術】
【０００２】
近年の電気掃除機は、吸引風を発する電動送風機と、この電動送風機の上流側に配置されたサイクロン集塵機を搭載し、前記サイクロン集塵機内には塵埃及び空気が流入するが、この空気はサイクロン集塵機内を旋回して塵埃が遠心分離される。これにより、前記塵埃がサイクロン集塵機内に残る一方、空気がサイクロン集塵機外に出る。また、前記サイクロン集塵機は空気通路を介して電動送風機に接続されており、塵埃と遠心分離された空気がその空気通路内を電動送風機に向かって流れる構成としていた（例えば、特許文献１参照）。
【先行技術文献】
【特許文献】
【０００３】
【特許文献１】特開２０１０−９９１８３号公報
【発明の概要】
【発明が解決しようとする課題】
【０００４】
しかしながら、前記従来の電気掃除機の構成では、空気通路内を空気がサイクロン集塵機から電動送風機に向かって流れるが、電動送風機の吸入口から発生した風切り音等は空気通路やその内壁を通過し掃除機本体の外部に伝わるので、大きな騒音が発生するという課題を有していた。
【０００５】
本発明は、前記従来の課題を解決するもので、運転時の騒音を低減した電気掃除機を提供することを目的とする。
【課題を解決するための手段】
【０００６】
前記従来の課題を解決するために、本発明の電気掃除機は、吸引風を発する電動送風機と、吸引した塵埃を捕集する集塵部と、前記電動送風機と前記集塵部の間に配置され、前記集塵部から前記電動送風機へ向かって空気が流れる空気通路を形成する連通部とを備え、前記連通部の壁面に複数の開口部を形成し、前記連通部の外側に前記開口部と連通する空間部を備え、前記開口部を形成した壁面と共に前記空間部を形成する空間形成部を設けたもので、前記電動送風機の吸入口から発生した風切り音は、連通部に形成した複数の開口部を通過し空間部の空気が共鳴することにより、ヘルムホルツ共鳴器と同一の効果が得られ、高周波音となる前記風切り音を減衰させることができる。
【発明の効果】
【０００７】
本発明の電気掃除機は、運転時の騒音を低減することができる。
【図面の簡単な説明】
【０００８】
【図１】本発明の実施の形態１における電気掃除機の全体斜視図
【図２】同電気掃除機の掃除機本体の中央断面図
【図３】同掃除機本体の集塵部を外した状態の全体斜視図
【図４】同掃除機本体の電動送風機中心における全体断面図
【図５】同掃除機本体の電動送風機ユニットの全体斜視図
【図６】同電動送風機ユニットの分解斜視図
【発明を実施するための形態】
【０００９】
第１の発明は、吸引風を発する電動送風機と、吸引した塵埃を捕集する集塵部と、前記電動送風機と前記集塵部の間に配置され、前記集塵部から前記電動送風機へ向かって空気が流れる空気通路を形成する連通部とを備え、前記連通部の壁面に複数の開口部を形成し、前記連通部の外側に前記開口部と連通する空間部を備え、前記開口部を形成した壁面と共に前記空間部を形成する空間形成部を設けたもので、前記電動送風機の吸入口から発生した風切り音は、連通部に形成した複数の開口部を通過し空間部の空気が共鳴することにより、ヘルムホルツ共鳴器と同一の効果が得られ、高周波音となる前記風切り音を減衰させることができる。
【００１０】
第２の発明は、特に、第１の発明の連通部に設けた複数の開口部を、電動送風機の吸入口に対向する壁面に形成したもので、前記電動送風機の吸入口から発生した風切り音は、最短距離で連通部に形成した複数の開口部に到達し、その開口部を通過して空間部の空気が共鳴することにより、ヘルムホルツ共鳴器と同一の効果が得られ、高周波音となる前記風切り音を減衰させることができる。
【００１１】
第３の発明は、特に、第１または第２の発明の連通部に設けた複数の開口部を、前記連通部と集塵部を連通する連通口の近傍に形成したもので、前記電動送風機の吸入口から発生した風切り音だけでなく、前記連通口で発生した風切り音も、連通部に形成した複数の開口部を通過し空間部の空気が共鳴することにより、ヘルムホルツ共鳴器と同一の効果が得られ、高周波音となる前記風切り音を減衰させることができる。
【００１２】
第４の発明は、特に、第１〜３のいずれか１つの発明の連通部に設けた複数の開口部を、連通部の上方を形成する壁面に形成したもので、前記電動送風機の吸入口から発生した風切り音や前記連通口で発生した風切り音が、掃除機本体上方の外郭を透過する前に連通部に形成した複数の開口部を通過し空間部の空気が共鳴することにより、ヘルムホルツ共鳴器と同一の効果が得られ、高周波音となる前記風切り音を減衰させることができるので、電気掃除機を使用している人の耳に入る騒音を低減できる。
【００１３】
第５の発明は、特に、第１〜４のいずれか１つの発明の複数の開口部を有する範囲の端部近傍から連通部外側に延出する空間形成リブを前記連通部に形成し、掃除機本体の外郭の一部を形成する上ケースの一部に形成された空間形成面と前記空間形成リブとの間に吸引風の空気漏れを防止するシール部材を設けたもので、連通部、シール部材、上ケースの順に積み重ねるようにして組み立てることができるので、掃除機本体を容易に組み立てることができると共に吸引風の空気漏れの防止が確実にできる。
【００１４】
以下、本発明の実施の形態について、図面を参照しながら説明する。なお、この実施の形態によってこの発明が限定されるものではない。
【００１５】
（実施の形態１）
本発明の第１の実施の形態における電気掃除機について、図１〜６を用いて説明する。
【００１６】
図１は、本発明の第１の実施の形態における電気掃除機の全体斜視図、図２は、同電気掃除機の掃除機本体の中央断面図、図３は、同掃除機本体の集塵部を外した状態の全体斜視図、図４は、同掃除機本体の電動送風機中心における全体断面図、図５は、同掃除機本体の電動送風機ユニットの全体斜視図、図６は、同電動送風機ユニットの分解斜視図である。
【００１７】
本実施の形態における掃除機本体１には、後部に吸引風を発する電動送風機２を内蔵した電動送風機室３と電源コード巻取り装置（図示せず）が配され、前部に、着脱自在で塵
埃を分離捕集する集塵部４を収納する集塵収納部５が配され、後方下部の両側に１対の走行用の車輪６が回転自在に取着され、底面前部には、同じく走行用のキャスター７が取着されている。掃除機本体１の前部には、ホース８の一端に設けた接続パイプ９が着脱自在に接続される吸気口１０が設けられている。
【００１８】
ホース８の他端には、掃除の際に握る把手１１を備えた先端パイプ１２が設けられている。
【００１９】
１３は、伸縮自在或いは継ぎ自在の延長管で、下流側端部が前記先端パイプ１２に着脱自在に接続され、他端は、塵埃を吸引する開口部（図示せず）を有する吸い込み具１４に着脱自在に接続される。
【００２０】
掃除機本体１は、外殻を形成する上ケース１５及び下ケース１６からなり、掃除機本体１を持ち運ぶ際に使用する本体ハンドル１７が、掃除機本体１の上部に取り付けられている。前記本体ハンドル１７には、前記集塵部４の上蓋部１８に回動自在に取り付けられた把手部１９の凸部２０と係合する凹部２１が設けられており、前記集塵部４を掃除機本体１に確実に保持固定している。
【００２１】
前記電動送風機２の前部は、弾性材料からなるサポート前２２で、後部は、同じく弾性材料からなるサポート後２３で支持され、前記電動送風機２から発生する騒音を低減する為のモーターケース右２４とモーターケース左２５で挟持されており、さらに消音箱２６と消音蓋２７で囲む構成とし、前記消音箱２６には、前記電動送風機２の排気に含まれるごく微細な塵埃を捕集するフィルター体２８を設けている。前記フィルター体２８を通過したきれいな空気は、前記消音箱２６の下部に形成した排気通路２９を通り、前記掃除機本体１の後方外郭を形成するカバー体３０の一部に形成した排気出口３１から外気へ排出される構成としている。
【００２２】
一方、前記電動送風機２の上流側には、前記集塵部４から前記電動送風機２へ向かって空気が流れる空気通路３２を形成する連通部３３を設け、略前方には電動送風機２の吸入口２ａと連通する格子状の連通口３４を設け、前記連通部３３の上方を形成する壁面に前記電動送風機２の吸入口２ａに対向する位置から前記連通口３４の近傍の位置にかけて複数の開口部３５を形成している。さらに前記連通部３３の外側に前記開口部３５と連通する空間部３６を備え、前記開口部３５を形成した壁面と共に前記空間部３６を形成する空間形成部３７を設けている。
【００２３】
前記空間形成部３７は、前記開口部３５を形成している範囲を覆うようにその近傍から前記連通部３３外側に前記連通部３３から延出する空間形成リブ３８を形成し、前記空間形成リブ３８と前記掃除機本体１の外郭を形成する前記上ケース１５の一部に形成された空間形成面３９にて形成している。また、前記上ケース１５の前記空間形成面３９と前記空間形成リブ３８との間に吸引風の空気漏れを防止するシール部材４０を設けている。
【００２４】
さらに、前記空間形成面３９の上方には、前記掃除機本体１の外郭の一部を形成する上カバー部材４１及びキャップ部材４２を備えている。
【００２５】
前記連通部３３の上方を形成する壁面に前記電動送風機２の吸入口２ａに対向する位置から前記連通口３４の近傍の位置にかけて複数の開口部３５と前記空間部３６を形成しているので、前記電動送風機２の吸入口２ａから発生した風切り音は、最短距離で前記連通部３３に形成した複数の開口部３５に到達し、その開口部３５を通過して空間部３６の空気が共鳴すると共に、前記電動送風機２の吸入口２ａから発生した風切り音だけでなく、前記連通口３４で発生した風切り音も、前記連通部３３に形成した複数の開口部３５を通
過し前記空間部３６の空気が共鳴することにより、ヘルムホルツ共鳴器と同一の効果が得られ、高周波音となる前記風切り音を減衰させることができる。
【００２６】
また、前記開口部３５を、前記連通部３３の上方を形成する壁面に形成しているので、前記電動送風機２の吸入口２ａから発生した風切り音や前記連通口３４で発生した風切り音が、前記掃除機本体１上方の外郭を透過する前に前記連通部３３に形成した複数の開口部３５を通過し前記空間部３６の空気が共鳴することにより、同様に風切り音を減衰させることができるので、電気掃除機を使用している人の耳に入る騒音を低減できる。
【００２７】
なお、前記開口部３５の形状については円形や多角形でも同様の効果が得られるものである。
【００２８】
また、前記空間形成部３７は、前記連通部３３の前記開口部３５を形成している範囲を覆うようにその近傍から前記連通部３３外側に前記連通部３３から延出する空間形成リブ３８を形成し、前記空間形成リブ３８と前記掃除機本体１の外郭を形成する上ケース１５の一部に形成された前記空間形成面３９にて形成し、前記空間形成面３９と前記空間形成リブ３８との間に吸引風の空気漏れを防止するシール部材４０を設けているので、連通部３３、シール部材４０、上ケース１５の順に積み重ねるようにして組み立てることができ、掃除機本体１を容易に組み立てることができると共に吸引風の空気漏れの防止が確実にできる。
【００２９】
さらに、前記空間形成面３９の上方には、前記上カバー部材４１及び前記キャップ部材４２を備えているので、掃除機本体１内部で発生した騒音に対し、複数の壁面が防音壁となり、騒音の透過を一層防止することができる。
【００３０】
また、前記集塵部４は、構成部品を大きく分けると、外郭は、ダストボックス４３と、前記ダストボックス４３の上面を塞ぐように構成された上蓋部１８と、前記上蓋部１８に備え付けられた把手部１９と、前記ダストボックス４３の下面を塞ぐように設けられた底蓋部４４とから構成される。
【００３１】
前記ダストボックス４３内には、一次フィルター４５と、前記一次フィルター４５の下に延出部４６が爪（図示せず）による嵌合、または溶着などの手段により取り付けられており、前記一次フィルター４５上方には二次フィルター４７、前記二次フィルター４７に蓄積した塵埃を振動などの手段により落とすための除塵部４８、前記除塵部４８に振動を与える手段となるモーター部４９を備えている。
【００３２】
前記ダストボックス４３の吸気口（図示せず）からサイクロン空間５０に吸い込まれた塵埃の混じった空気は、前記一次フィルター４５により発生する旋回流により綿ごみを主とした塵埃と細塵を含んだ空気とに分離され、綿ごみを主とした塵埃は、集塵通路５１を通り塵埃蓄積空間５２へと蓄積されていく。前記塵埃蓄積空間５２へ蓄積された綿ごみを主とした塵埃は、前記一次フィルター４５に取り付けられた前記延出部４６と前記ダストボックス４３に形成した傾斜部５３によって垂直上方に壁を形成することでサイクロン空間５０への舞い戻りを防ぎ、集塵効率を高める構成となっている。
【００３３】
前記一次フィルター４５を通過した空気に含まれた細塵は、前記二次フィルター４７によって濾過され、細塵を含まない空気のみが、前記二次フィルター４７を通過し前記連通口３４を通過し前記電動送風機２に吸引される。前記二次フィルター４７に堆積した細塵は、前記除塵部４８に与えられる振動によって前記二次フィルター４７から剥離し、前記一次フィルター４５内を通り前記一次フィルター４５下方に位置する筒５４へと蓄積する。
なお、集塵部４について、本実施の形態では、サイクロン式の集塵装置を用いたが、紙袋等の袋状体を用いたものにおいても運転時の騒音を低減できるという効果が同様に得られるものである。
【産業上の利用可能性】
【００３４】
以上のように、本発明にかかる電気掃除機は、運転時の騒音を低減できるので、家庭用や業務用の電気掃除機等の用途にも適用できる。
【符号の説明】
【００３５】
１  掃除機本体
２  電動送風機
２ａ  吸入口
４  集塵部
１５  上ケース
３２  空気通路
３３  連通部
３４  連通口
３５  開口部
３６  空間部
３７  空間形成部
３８  空間形成リブ
３９  空間形成面
４０  シール部材
【図１】
2012055499.tif 000003
【図２】
2012055499.tif 000004
【図３】
2012055499.tif 000005
【図４】
2012055499.tif 000006
【図５】
2012055499.tif 000007
【図６】
2012055499.tif 000008